(57)【要約】【課題】撮影方法が異なる複数の撮影が可能な撮像装置において、各撮影に適した操作方法で撮影指示を与えることができるようにすることで、操作性の向上を図る。【解決手段】バルブ撮影モード時、当初はシャッタボタン５５の文字表示が「Bulb開始」となっている。この状態でシャッタボタン５５がクリックされると、バルブ撮影開始コマンドが発行され、これに応答してカメラはバルブ撮影を開始する（シャッタを開く）。同時にシャッタボタン５５の文字表示が「Bulb終了」に変更される。次にシャッタボタン５５がクリックされると、バルブ撮影終了コマンドが発行され、これに応答してカメラはバルブ撮影を終了する。一方、連写モード時の操作はバルブ撮影モードとは異なり、シャッタボタン５５のマウスダウンで連写が開始され、続くマウスアップで連写が終了する。【選択図】図７
2010081049.tif 000002
【特許請求の範囲】
【請求項１】
撮影方法が異なる少なくとも第１，第２の撮影モードで撮影が可能な撮像装置と、
操作部、および該操作部の操作に応答して前記撮像装置に撮影のための指示を発行する発行部を含む外部装置とを有し、前記発行部から発行された指示によって前記撮像装置に撮像を行わしめる撮像システムであって、
前記発行部は、前記第１の撮影モード時には、前記操作部によって所定操作がなされると前記撮影のための指示を発行し、前記第２の撮影モード時には、前記操作部によって前記所定操作とは異なる操作がなされると前記撮影のための指示を発行することを特徴とする撮像システム。
【請求項２】
前記撮影のための指示は、撮影開始指示と撮影終了指示とを含み、撮影開始指示を発行するための操作、および撮影終了指示を発行するための操作の少なくともいずれか一方が前記第１，第２の撮影モードで異なることを特徴とする請求項１に記載の撮像システム。
【請求項３】
前記操作部は押圧ボタンを含み、前記発行部は、前記前記第１の撮影モードが設定されているときは、前記押圧ボタンの押圧操作で前記撮影開始指示を発行するとともに、該押圧ボタンの押圧解除操作で前記撮影終了指示を発行し、前記第２の撮影モードが設定されているときは、前記押圧ボタンを押圧し、その後に押圧を解除すると前記撮影開始指示を発行し、前記押圧ボタンを再度押圧し、その後に押圧を解除することで前記撮影終了指示を発行することを特徴とする請求項２に記載の撮像システム。
【請求項４】
前記外部装置は、前記第２の撮影モード時、前記撮影開始指示が発行される前は、操作によって撮影が開始される旨を報知し、前記撮影開始指示の発行から前記撮影終了指示の発行までは、操作によって撮影が終了される旨を報知する報知部を更に備えることを特徴とする請求項３に記載の撮像システム。
【請求項５】
前記第１の撮影モードは連写モードであり、前記第２の撮影モードは、バルブ撮影モードおよび動画撮影モードのいずれかであることを特徴とする請求項２〜４のいずれか１項に記載の撮像システム。
【請求項６】
所定のタイマ時間が経過した後に撮影を行うタイマ撮影が可能な撮像装置と、
第１，第２操作部材を有する操作部、および該操作部の操作に応答して前記撮像装置に撮影のための指示を発行する発行部を含む外部装置とを有し、前記発行部から発行された指示によって前記撮像装置に撮像を行わしめる撮像システムであって、
前記外部装置は、前記タイマ撮影を行うモードが設定されているときに、前記第１操作部材の操作に応じて前記タイマ時間を設定する設定部を更に有し、
前記発行部は、前記タイマ撮影を行うモードが設定されているときに、前記設定されたタイマ時間を前記撮像装置に発行するとともに、前記第２操作部材の操作によりタイマ撮影指示を前記撮像装置に発行し、
前記撮像装置は、前記タイマ撮影指示の受信から前記タイマ時間が経過した後に撮影を行うことを特徴とする撮像システム。
【請求項７】
前記外部装置は、前記操作部の移動に応じて移動するポインタを表示可能な表示部を備え、前記表示部上の所定の領域に前記ポインタを重ねることで、前記第１操作部材の操作による前記タイマ時間の設定、および前記第２層部材の操作によるタイマ撮影指示の発行が許可されることを特徴とする請求項６に記載の撮像システム。
【請求項８】
前記外部装置は、前記設定されたタイマ時間を報知する報知部を更に備えることを特徴とする請求項６または７に記載の撮像システム。
【請求項９】
ミラーアップ撮影が可能な撮像装置と、
操作部、および該操作部の操作に応答して前記撮像装置に撮影のための指示を発行する発行部を含む外部装置とを有し、前記発行部から発行された指示によって前記撮像装置に撮像を行わしめる撮像システムであって、
前記発行部は、前記ミラーアップ撮影を行うモードが設定されているときに、前記操作部の操作に応じてミラーアップ指示を前記撮像装置に発行し、その後の前記操作部の操作に応じて撮影指示を前記撮像装置に発行し、
前記撮像装置は、前記ミラーアップ指示に応答してミラーアップを行い、その後の前記撮影指示に応答して撮像を行うことを特徴とする撮像システム。
【請求項１０】
前記外部装置は、前記ミラーアップ撮影を行うモードが設定されているとき、前記ミラーアップ指示が発行される前は、操作によってミラーがアップされる旨の報知を行い、前記ミラーアップ指示が発行されてから前記撮影指示が発行されるまでは、操作によって撮影が行われる旨の報知を行う報知部を更に備えることを特徴とする請求項９に記載の撮像システム。
【請求項１１】
前記操作部は、前記外部装置が有する表示部の表示に対して操作を行うためのポインティングデバイスであることを特徴とする請求項１〜１０のいずれか１項に記載の撮像システム。
【請求項１２】
撮影方法が異なる少なくとも第１，第２の撮影モードで撮影が可能な撮像装置であって、
操作のための表示を行う表示部と、
該表示部の表示に対して操作を行うための操作部と、
前記第１の撮影モード時には、前記操作部によって所定操作がなされると撮像を行い、前記第２の撮影モード時には、前記操作部によって前記所定操作とは異なる操作がなされると撮像を行う撮影制御部とを具備することを特徴とする撮像装置。
【請求項１３】
撮影方法が異なる少なくとも第１，第２の撮影モードで撮影が可能な撮像装置に撮影指示を発行して撮影を行わしめることが可能なコンピュータに、
前記第１の撮影モード時には、操作部によって所定操作がなされると前記撮像装置に前記撮影指示を発行し、前記第２の撮影モード時には、前記操作部によって上記所定操作とは異なる操作がなされると前記撮像装置に前記撮影指示を発行する処理を実行させるための撮像プログラム。
【発明の詳細な説明】
【技術分野】
【０００１】
本発明は、撮像装置と外部装置とから成る撮像システム、撮像装置および撮像プログラムに関する。
【背景技術】
【０００２】
パーソナルコンピュータ等の外部装置を用いてデジタルカメラを操作するシステムが知られている。かかるシステムでは、外部装置のディスプレイに操作画面を表示し、マウス等の操作によってカメラに撮影指示を送ると、カメラがその指示に応じて撮影動作を行う（例えば、特許文献１参照）。
【０００３】
ここで、一般にカメラには複数の撮影モードがあり、通常の１駒撮影だけでなく、連写やバルブ撮影といった特殊撮影が可能なものが多い。特許文献１の撮影システムでは、コンピュータから連写やバルブ撮影も指示可能となっている。
【０００４】
【特許文献１】特開２００５−２１０５８９号公報
【発明の開示】
【発明が解決しようとする課題】
【０００５】
一般に特殊撮影をカメラに指示するための操作は、通常の１駒撮影を指示するための操作と比べて複雑であり、特殊撮影の種類によって適した操作方法は異なる。しかし、特許文献１ではこの点について考慮されていない。
【課題を解決するための手段】
【０００６】
本発明に係る撮像システムは、撮影方法が異なる少なくとも第１，第２の撮影モードで撮影が可能な撮像装置と、操作部、および操作部の操作に応答して撮像装置に撮影のための指示を発行する発行部を含む外部装置とを有し、発行部から発行された指示によって撮像装置に撮像を行わしめるシステムであって、第１の撮影モード時には、操作部によって所定操作がなされると前記撮影のための指示を発行し、第２の撮影モード時には、操作部によって上記所定操作とは異なる操作がなされると撮影のための指示を発行することを特徴とする。
本発明に係る他の撮像システムは、所定のタイマ時間が経過した後に撮影を行うタイマ撮影が可能な撮像装置と、操作部、および操作部の操作に応答して撮像装置に撮影のための指示を発行する発行部を含む外部装置とを有し、発行部から発行された指示によって撮像装置に撮像を行わしめるシステムであって、外部装置は、タイマ撮影を行うモードが設定されているときに、操作部の第１操作部材の操作に応じてタイマ時間を設定する設定部を更に有し、タイマ撮影を行うモードが設定されているときに、設定されたタイマ時間を撮像装置に発行するとともに、操作部の第２操作部材の操作によりタイマ撮影指示を撮像装置に発行し、撮像装置は、タイマ撮影指示の受信からタイマ時間が経過した後に撮影を行うことを特徴とする。
本発明に係る他の撮像システムは、ミラーアップ撮影が可能な撮像装置と、操作部、および操作部の操作に応答して撮像装置に撮影のための指示を発行する発行部を含む外部装置とを有し、発行部から発行された指示によって撮像装置に撮像を行わしめるシステムであって、ミラーアップ撮影を行うモードが設定されているときに、操作部の操作に応じてミラーアップ指示を撮像装置に発行し、その後の操作部の操作に応じて撮影指示を撮像装置に発行し、撮像装置は、ミラーアップ指示に応答してミラーアップを行い、その後の撮影指示に応答して撮像を行うことを特徴とする。
本発明に係る撮像装置は、撮影方法が異なる少なくとも第１，第２の撮影モードで撮影が可能な装置であって、操作のための表示を行う表示部と、表示部の表示に対して操作を行うための操作部と、第１の撮影モード時には、操作部によって所定操作がなされると撮像を行い、第２の撮影モード時には、操作部によって所定操作とは異なる操作がなされると撮像を行う撮影制御部とを具備することを特徴とする。
本発明に係る撮像プログラムは、コンピュータを上記外部装置として利用するためのものである。
【発明の効果】
【０００７】
本発明によれば、撮影方法が異なる複数の撮影が可能な撮像装置において、各撮影に適した操作方法で撮影指示を与えることができ、操作性の向上が図れる。
【発明を実施するための最良の形態】
【０００８】
図１〜図１１により本発明の一実施の形態を説明する。
図１，図２はカメラ２００とパーソナルコンピュータ（以下、ＰＣ）１００とを接続して成る撮像システムを示す。カメラ２００は、ＵＳＢ等のインターフェース９を介してＰＣ１００に接続可能とされる。ＰＣ１００は、ＣＰＵ１１、ＲＡＭ１２、ディスクインターフェース１３、ディスプレイコントローラ１４、ＣＰＵバス１５、シリアルバス１６、シリアルバスコントローラ１７などを有する本体部と、シリアルバス１６を介して接続されるキーボード２１やマウス２２等の入力装置と、ディスクインターフェース１３を介して接続されるハードディスク３１と、表示装置としてのディスプレイ３２とから構成される。
【０００９】
ＰＣ１００のＣＰＵ１１は、予めハードディスク３１にインストールされたカメラ制御用プログラムに従って、カメラ２００の動作を制御する。制御可能な動作としては、通常の１駒撮影に加えて、連続撮影（連写）、バルブ撮影、タイマ撮影、動画撮影といった特殊撮影がある。また、カメラ２００が一眼レフカメラの場合は、ミラーアップ撮影も指示可能である。
【００１０】
以下、各特殊撮影時の動作を詳細に説明する。
図３はカメラ制御プログラム（撮像プログラム）の処理内容を示すフローチャートを示している。なお、カメラ２００はＰＣ１００に既に接続されているものとする。
このプログラムは、ユーザの起動操作に応答してＣＰＵ１１によって起動され、ステップＳ１でカメラ２００の状態を取得するためのコマンドを発行する。カメラ状態とは、カメラで設定されている各種モードや撮影条件等の情報である。カメラ２００はこのコマンドを受け、カメラ状態に関する情報をＰＣ１００に送信する。ＰＣ１００では、ステップＳ２でカメラ２００からの応答を待ち、カメラ状態を取得すると、ステップＳ３でディスプレイ３２上に画面表示を行う。
【００１１】
図４は画面表示の一例を示し、この画面には、露出モード選択用のプルダウンメニュー５１と、シャッタ速度および絞り値選択用のスライダ５２，５３と、撮影モード選択用のプルダウンメニュー５４と、カメラに撮影を指示するためのシャッタボタン５５とが設けられ、各操作部５１〜５５は、マウス２２によって操作可能である。シャッタボタン５５上にはその機能が文字表示され、この表示は撮影モードなどによって変化する。
【００１２】
当初、表示上の露出モード、シャッタ速度、絞り値および撮影モードは、上記カメラから取得した各値が反映される。各値は、操作部５１〜５４の操作によって自由に変更でき、変更後の値がカメラに発行され、それに基づいてカメラの設定が変更される（この変更制御はフローでは省略している）。
【００１３】
図３に戻って説明すると、ステップＳ４では、現在設定されている撮影モードを判定し、その判定結果に応じてサブルーチンＳ１００〜Ｓ６００のいずれかに進む。その後、プログラムの終了操作がなされると、ステップＳ５が肯定されて処理が終了する。
【００１４】
図５は連写モード制御サブルーチンＳ２００の詳細を、図４は連写モード時の画面表示を示している。
まずステップＳ２０１において、図４のようにシャッタボタン５５の文字表示を「撮影」とする。「連写」としてもよい。ステップＳ２０２では、シャッタボタン５５の押下状態に変化が生ずるのを待つ。マウスカーソル（ポインタ）ＭＣをボタン５５に重ね、マウス２２の所定のボタンを押下する（マウスダウンする）か、押下を解除する（マウスアップする）と、押下状態に変化有りと判定される。
【００１５】
ステップＳ２０２が否定されると、つまりマウスアップ状態またはマウスダウン状態が継続している場合はそのままリターンし、肯定されるとステップＳ２０３に進む。ステップＳ２０３では押下状態の変化の内容を判定し、マウスアップ状態からマウスダウンがなされた場合は、ステップＳ２０４で連続撮影開始コマンドをカメラ２００に発行する。連続撮影開始コマンドを受信したカメラ２００は、連写を開始し、連続撮影終了コマンドを受信するまで連写を続行する。
【００１６】
ステップＳ２０３が否定された場合、つまりマウスダウン状態からマウスアップがなされた場合は、ステップＳ２０５で連続撮影終了コマンドを発行する。連続撮影終了コマンドを受信したカメラ２００は連写を停止する。ステップＳ２０６では、カメラ２００での撮影動作が完全に終了するのを待ち、終了するとリターンする。
【００１７】
このように連写は、シャッタボタン５５の押圧（マウスダウン）で開始され、続く押圧解除（マウスアップ）で終了する。この操作方法によれば、撮影者が連写を終了したい思った時点と実際に連写が終了する時点との差を限りなく小さくすることができる。因みに最初のクリックで連写を開始し、次のクリックで連写を終了させる方法では、撮影者の意図する終了時期よりも遅れて連写が終了し、電源や記憶領域が無駄に使用されるおそれがある。これは、特に連写速度が速いときに顕著である。一般に連写はそれほど長時間行うことはないので、連写終了までマウスボタンを押し続けていてもそれがストレスとなることはない。
【００１８】
図６はバルブ撮影モード制御サブルーチンＳ３００の詳細を、図７はバルブ撮影モード時の画面表示を示している。
ステップＳ３０１では、シャッタボタン５５の文字表示を「Bulb開始」とする（図７（ａ））。これは、シャッタボタン５５をクリックするとバルブ撮影が開始される旨の報知である。ステップＳ３０２ではシャッタボタン５５のクリックがなされたか否かを判定する。ここで、シャッタボタン５５のクリックとは、マウスカーソルＭＣをシャッタボタン５５に重ね、マウスダウンした後にマウスアップする操作を指す。
【００１９】
ステップＳ３０２が否定されるとそのままリターンし、肯定されるとステップＳ３０３でバルブ撮影開始コマンドを発行する。これに応答してカメラ２００はバルブ撮影を開始する（シャッタを開く）。ステップＳ３０４では、シャッタボタン５５の文字表示を「Bulb終了」に変更する（図７（ｂ））。これは、次にシャッタボタン５５をクリックするとバルブ撮影が終了する旨の報知である。ステップＳ３０５では、シャッタボタン５５のクリックを待ち、クリックされるとステップＳ３０６でバルブ撮影終了コマンドを発行する。これに応答してカメラ２００は、バルブ撮影を終了する（シャッタを閉じる）。ステップＳで３０７では撮影が完了するのを待ち、その後、リターンする。リターン後にこのサブルーチンに入ると、ステップＳ３０１を通過するので、文字表示は「Bulb開始」に戻る。
【００２０】
なお、上述したマウスクリックは左クリックに限定されず、右クリックでもよい。また、開始指示および終了指示のいずれか一方を左クリックとし、他方を右クリックとしてもよい。これは、後述する各撮影モードでも同様である。
【００２１】
以上、バルブ撮影を示したが、動画撮影も同様の方式で行われる。図８は動画撮影モード時の画面表示を示し、図８（ａ）に示すように、当初はシャッタボタン５５の文字表示が「録画開始」となっている。この状態でシャッタボタン５５をクリックすると、動画開始コマンドが発行され、これに応答してカメラ２００が動画撮影を開始する。同時にシャッタボタン５５の文字表示が「録画終了」に変化する（図８（ｂ））。この状態でのクリックを行うと、動画終了コマンドが発行され、これに応答してカメラが動画動影を終了する。その後、図８（ａ）の表示に戻る。
【００２２】
このようにバルブ撮影および動画撮影は、連写のときとは異なり、シャッタボタン５５のクリックで開始し、再度のクリックで終了する。一般にバルブ撮影や動画撮影は長時間に及ぶことが多いが、その間中マウスボタンを押し続けている必要がないので、ストレスを感ずることがない。
【００２３】
図９はミラーアップ撮影モード時の画面表示を示している。ミラーアップ撮影とは、ミラーアップ時の振動による像ブレを防止するために、ミラーを予めアップ位置に保持しておき、その状態で撮影を行う撮影方法である。この場合、当初はシャッタボタン５５の文字表示が「ミラーアップ」となっている（図９（ａ））。これは、シャッタボタン５５をクリックすることでミラーアップが行われる旨の報知である。シャッタボタン５５をクリックすると、ミラーアップコマンドが発行され、これに応答してカメラ２００はミラーアップ動作を行い、ミラーをアップ状態に保持する。同時にシャッタボタン５５の文字表示は「ミラーアップ」から「撮影」に変化する（図９（ｂ））。これは、シャッタボタン５５をクリックすることで撮影が行われる旨の報知である。この状態でシャッタボタン５５を再度クリックすると、撮影コマンドが発行され、これに応答してカメラ２００は撮影を行う。その後、ミラーダウンが行われ、図９（ａ）の表示に戻る。
【００２４】
このようにミラーアップ撮影モードでは、最初のマウスクリックでミラーアップが指示され、第２回目のマウスクリックで撮影が指示されるので、ＰＣ操作によるミラーアップ撮影が違和感なく行える。
【００２５】
また、上記バルブ撮影，動画撮影およびミラーアップ撮影では、シャッタボタン５５の機能の変更が、シャッタボタン５５上の文字表示の変更によって明確に報知されるので、ユーザが操作に迷うことはない。
【００２６】
図１０はタイマ撮影モード制御サブルーチンＳ４００の詳細を、図１１はタイマ撮影モード時の画面表示を示している。ここで、タイマ撮影とは、撮影指示から所定のタイマ時間経過後に撮影を行う撮影方法である。
【００２７】
図１０において、ステップＳ４０１では、シャッタボタン５５の文字表示をタイマ時間Ｔとし、シャッタボタン５５の操作から何秒後に撮影が行われるかを報知する（図１１（ａ））。ステップＳ４０２では、シャッタボタン５５にマウスカーソルＭＣが重なっているか否かを判定し、肯定されると、ステップＳ４０３で時間変更ガイドＧを表示する（図１１（ｂ））。時間変更ガイドＧは、マウス２２に設けられたマウスホイールにてタイマ時間Ｔを変更できる旨の報知であり、上下を指し示す一対の三角印から成る。これは、シャッタボタン５５の近傍に表示してもよいし、図示の如くシャッタボタン５５に一部が重なるように表示してもよい。
【００２８】
ステップＳ４０４では、マウスホイールが操作されたか否かを判定し、肯定されるとステップＳ４０５でタイマ時間Ｔの変更を行う。すなわち、マウスホイールが上方に回転操作されたときは秒数が増える方向に、下方に回転操作されたときは秒数が減る方向に変更する。変更後のタイマ時間Ｔは、シャッタボタン５５の表示に反映される。
【００２９】
ステップＳ４０６では、シャッタボタン５５がクリックされたか否かを判定し、否定されるとリターンし、肯定されると、現在のタイマ時間Ｔの値とタイマ撮影開始コマンドを発行する。コマンドを受信したカメラ２００は、時間Ｔだけ待機した後、撮影を行う。ステップＳで４０８では撮影が完了するのを待ち、その後、リターンする。ステップＳ４０２でマウスカーソルＭＣがシャッタボタン５５に重なっていないと判定された場合は、上記時間変更ガイドＧを非表示としてリターンする。
【００３０】
このようにタイマ撮影モードでは、マウスカーソルＭＣをシャッタボタン５５に重ねれば、必要に応じてタイマ時間の変更が自由に行え、その後、マウスカーソルＭＣを移動させることなくクリックを行うことでタイマ撮影が指示される。したがって、タイマ時間の設定後、タイマ撮影を素早く開始することができる。
【００３１】
なお、マウスホイールを用いた他の例として、例えばマウスカーソルをシャッタボタン５５に重ねると、マウスホイールによって露出時間の調整が行え、その後のマウスクリックで上記露出時間と撮影コマンドが発行され、撮影コマンドを受信したカメラが上記露出時間で撮影を行うようにしてもよい。この場合も、マウスカーソルをシャッタボタン５５に重ねたときに露出時間変更ガイドを表示することが望ましい。
【００３２】
また、操作部はマウスに限定されず、タッチペン，タッチパネル等のポインティングデバイスや、キーボード等の操作部材を用いてもよい。さらに、外部装置もＰＣに限定されず、操作部を有する種々の装置が利用可能である。また、操作のための表示を行う表示部と、表示部の表示に対して操作を行うための操作部とを有する撮像装置であれば、上記外部装置の機能をその撮像装置に持たせることも可能である。例えば、タッチパネルを有し、表示部上に表示に対してタッチペンで指示を与えることが可能なカメラ単体にも本発明を適用可能である。
【図面の簡単な説明】
【００３３】
【図１】本発明の一実施形態における撮像システムの構成図。
【図２】上記撮像システムのブロック図。
【図３】撮像プログラムの処理手順を示すメインのフローチャート。
【図４】連写モード時の画面表示を示す図。
【図５】連写モード制御の詳細手順を示すフローチャート。
【図６】バルブ撮影モード制御の詳細手順を示すフローチャート。
【図７】バルブ撮影モード時の画面表示を示す図。
【図８】動画モード時の画面表示を示す図。
【図９】ミラーアップモード時の画面表示を示す図。
【図１０】タイマ撮影モード制御の詳細手順を示すフローチャート。
【図１１】タイマ撮影モード時の画面表示を示す図。
【符号の説明】
【００３４】
１１  ＣＰＵ
２１  キーボード
２２  マウス
３２  ディスプレイ
５５  表示上のシャッタボタン
１００  パーソナルコンピュータ
２００  デジタルカメラ
ＭＣ  マウスカーソル
【図１】
2010081049.tif 000003
【図２】
2010081049.tif 000004
【図３】
2010081049.tif 000005
【図４】
2010081049.tif 000006
【図５】
2010081049.tif 000007
【図６】
2010081049.tif 000008
【図７】
2010081049.tif 000009
【図８】
2010081049.tif 000010
【図９】
2010081049.tif 000011
【図１０】
2010081049.tif 000012
【図１１】
2010081049.tif 000013